(57)【要約】      （修正有）【課題】厚さの違い、カバーの有無などに拘わらず、携帯型電子機器の背面が背当部側に確実に安定して接触することのできるドックスタンドを提供する。【解決手段】ハウジング１８の台座部１９側のコネクタ２３は、回動体２４に取り付けられ、この回動体は、その両端の回転軸によって前記台座部に回動自在に設け、この回動体の回動により前記背当部２０に対するコネクタの角度を可変することを可能にした。回動体には、半円形部を有し、この半円形部にコネクタを取り付け、このコネクタと前記回動体の一部を台座部に設けた突出窓２７から上方に突出させる。台座部の上面で、突出窓に臨ませた位置に回動体より突出した半円形の受け部材を設けて、携帯型電子機器１６ａ，１６ｂをセットするドックスタンドを構成する。【選択図】図１
0003167101.tif 000002
【実用新案登録請求の範囲】
【請求項１】
ハウジングは、台座部と背当部とを有し、前記台座部にコネクタを設け、このコネクタに挿入接続した携帯型電子機器を前記背当部に立てかけてセットする携帯型電子機器用ドックスタンドにおいて、前記コネクタは、回動体に取り付けられ、この回動体は、その両端の回転軸によって前記台座部に回動自在に設け、この回動体の回動により前記背当部に対するコネクタの角度を可変することを可能にしたことを特徴とする携帯型電子機器用ドックスタンド。
【請求項２】
回動体を構成する半円形部にコネクタを取り付け、このコネクタと前記半円形部の一部を台座部に設けた突出窓から上方に突出させたことを特徴とする請求項１記載の携帯型電子機器用ドックスタンド。
【請求項３】
回動体における半円形部の両端に回転軸を設け、この回転軸を台座部の内側下面と回動体の底板部の上面とで回動自在に軸支したことを特徴とする請求項２記載の携帯型電子機器用ドックスタンド。
【請求項４】
台座部の上面で、突出窓に臨ませた位置に回動体より突出した半円形の受け部材を設けたことを特徴とする請求項２又は３記載の携帯型電子機器用ドックスタンド。
【考案の詳細な説明】
【技術分野】
【０００１】
本考案は、厚さ、大きさなどに違いのある携帯型電子機器やカバーをかけたままの携帯型電子機器でも立て置きにセットすることのできる携帯型電子機器用ドックスタンドに関するものである。
【背景技術】
【０００２】
従来、この種の携帯型電子機器用スタンドには、図５に示すものが知られている（特許文献１）。
この図５において、スタンド１１の上にクレードル１０が載せられており、このクレードル１０は、台座部１２と背当部１４でＬ字状に形成され、前記台座部１２の上面にはコネクタ１３が設けられている。このコネクタ１３に、携帯型電子機器１６のコネクタ１７を差し込み接続する。このとき、コネクタ１７から携帯型電子機器１６の背面までの距離Ｗよりもコネクタ１７から背当ねじ１５までの距離Ｌが長くて携帯型電子機器１６の背面が背当ねじ１５に当接しないときは、携帯型電子機器１６が不安定になり、コネクタ１３と１７の接続部分に異常な力がかかり、故障の原因になる。そこで、背当部１４にねじ込まれている背当ねじ１５をＷ＝Ｌとなるように突出させることにより安定したセット状態とする。
【先行技術文献】
【特許文献】
【０００３】
【特許文献１】特開２０１０−５６９６９号公報
【考案の概要】
【考案が解決しようとする課題】
【０００４】
図５に示した従来のものは、携帯型電子機器１６のコネクタ１７をクレードル１０のコネクタ１３に差し込んだとき、台座部１２と携帯型電子機器１６が直角になるように背当ねじ１５のねじ部分を回して突出させるか退出させるかして携帯型電子機器１６の背面に背当ねじ１５の先端を当接させるための調整が必要となる。
このような調整方法では、携帯型電子機器１６の厚さの違い、携帯型電子機器１６のカバーの有無などによりその都度背当ねじ１５を進退するという面倒な操作が必要となるという問題があった。
【０００５】
本考案は、携帯型電子機器の厚さの違い、カバーの有無などに拘わらず、携帯型電子機器のコネクタと台座部のコネクタが確実に接続し、かつ、携帯型電子機器の背面が背当部側に確実に安定して接触することのできる携帯型電子機器用ドックスタンドを提供しようとするものである。
【課題を解決するための手段】
【０００６】
本考案による携帯型電子機器用ドックスタンドは、ハウジング１８が、台座部１９と背当部２０とを有し、前記台座部１９にコネクタ２３を設け、このコネクタ２３に挿入接続した携帯型電子機器１６を前記背当部２０に立てかけてセットする携帯型電子機器用ドックスタンドにおいて、前記コネクタ２３は、回動体２４に取り付けられ、この回動体２４は、その両端の回転軸３０によって前記台座部１９に回動自在に設け、この回動体２４の回動により前記背当部２０に対するコネクタ２３の角度を可変することを可能にしたことを特徴とする。
【０００７】
回動体２４には、半円形部２８を有し、この半円形部２８にコネクタ２３を取り付け、このコネクタ２３と前記回動体２４の一部を台座部１９に設けた突出窓２７から上方に突出させたことを特徴とする。
【０００８】
回動体２４における半円形部２８の両端に回転軸３０を設け、この回転軸３０を台座部１９の内側下面と回動体２４の底板部２１の上面とで回動自在に軸支したことを特徴とする。
【０００９】
台座部１９の上面で、突出窓２７に臨ませた位置に回動体２４より突出した半円形の受け部材３３を設けたことを特徴とする。
【考案の効果】
【００１０】
請求項１記載の考案によれば、ハウジングは、台座部と背当部とを有し、前記台座部にコネクタを設け、このコネクタに挿入接続した携帯型電子機器を前記背当部に立てかけてセットする携帯型電子機器用ドックスタンドにおいて、前記コネクタは、回動体に取り付けられ、この回動体は、その両端の回転軸によって前記台座部に回動自在に設け、この回動体の回動により前記背当部に対するコネクタの角度を可変することを可能にしたので、携帯型電子機器の厚さ、形状の違い、カバーの有無などに拘わらず、携帯型電子機器のコネクタを台座部のコネクタに挿入接続して、携帯型電子機器の背面をハウジングの背当部側に倒すだけで確実に安定してセットすることができる。
【００１１】
請求項２記載の考案によれば、回動体を構成する半円形部にコネクタを取り付け、このコネクタと前記半円形部の一部を台座部に設けた突出窓から上方に突出させたので、台座部からコネクタと半円形部の一部だけが突出し、外観にも優れた携帯型電子機器用ドックスタンドが得られる。
【００１２】
請求項３記載の考案によれば、回動体における半円形部の両端に回転軸を設け、この回転軸を台座部の内側下面と回動体の底板部の上面とで回動自在に軸支したので、コネクタを取り付けた回動体を台座部へ取り付けるのに、回動体を台座部の下から組み込み、底板を取り付けるだけで簡単に組み立てることができる。
【００１３】
請求項４記載の考案によれば、台座部の上面で、突出窓に臨ませた位置に回動体より突出した半円形の受け部材を設けたので、携帯型電子機器１６のコネクタを台座部１９のコネクタ２３に挿入したとき、携帯型電子機器１６の下端部が受け部材３３に接触し、回動体２４に接触することがないから傷などから保護される。
【図面の簡単な説明】
【００１４】
【図１】本考案による携帯型電子機器用ドックスタンドの一実施例を示すもので、図２におけるＡ−Ａ線断面図である。
【図２】図１におけるＢ−Ｂ線断面図である。
【図３】図１における回動体２４の斜視図である。
【図４】本考案による携帯型電子機器用ドックスタンドの全体の斜視図である。
【図５】従来のクレードル１０の側面図である。
【考案を実施するための形態】
【００１５】
ハウジング１８は、台座部１９と背当部２０とを有し、前記台座部１９にコネクタ２３を設け、このコネクタ２３に挿入接続した携帯型電子機器１６を前記背当部２０に立てかけてセットする携帯型電子機器用ドックスタンドにおいて、前記コネクタ２３は、回動体２４に取り付けられ、この回動体２４は、その両端の回転軸３０によって前記台座部１９に回動自在に設け、この回動体２４の回動により前記背当部２０に対するコネクタ２３の角度を可変することを可能にする。
前記回動体２４は、半円形部２８をもって構成され、この半円形部２８にコネクタ２３を取り付け、このコネクタ２３と前記回動体２４の一部を台座部１９に設けた突出窓２７から上方に突出させる。
前記半円形部２８の両端に回転軸３０を設け、この回転軸３０を台座部１９の内側下面と回動体２４の底板部２１の上面とで回動自在に軸支して組み立てを容易にしている。
前記台座部１９の上面で、突出窓２７に臨ませた位置に回動体２４より突出した半円形の受け部材３３を設けることにより、携帯型電子機器１６のコネクタを台座部１９のコネクタ２３に挿入したとき、携帯型電子機器１６の下端部が受け部材３３に接触し、回動体２４に接触することによる傷などから保護することもできる。
【実施例１】
【００１６】
本考案による携帯型電子機器用ドックスタンドの一実施例を図１ないし図４に基づき説明する。
ハウジング１８は、扁平な台座部１９と、この台座部１９の略中央から後方へ約１５の角度で傾斜した背当部２０とで構成されている。
前記台座部１９には、前記背当部２０のやや前方に背当部２０と同一方向に細長い突出窓２７が形成されている。この突出窓２７に臨ませて台座部１９の下方から回動体２４が回動自在に嵌め込まれている。この回動体２４は、図３に示すように、上半分が半円形部２８をなし、この半円形部２８の中央部にコネクタ２３が取り付けられている。この回動体２４の両端部の突起部３１に回転軸３０が取り付けられ、また、半円形部２８の両側部にはストッパ２９ａ、２９ｂが設けられている。
【００１７】
図１及び図２に示すように、回動体２４を台座部１９の下方から嵌め込むと、コネクタ２３と半円形部２８の一部が突出窓２７から突出し、また、回転軸３０が台座部１９の下面と底板部２１の上面に一体に形成した軸受部３２によって回動自在に軸支される。
【００１８】
前記ハウジング１８の後部には、ＵＳＢコネクタ２５が取り付けられ、このＵＳＢコネクタ２５と前記コネクタ２３がリード線３４によって接続される。また、ハウジング１８の後方内部には、携帯型電子機器１６をセットしたときの安定のため錘２６が取り付けられている。
前記台座部１９の上面の両端部には、前記回動体２４よりやや突出するように円弧状の受け部材３３が取り付けられ、携帯型電子機器１６の下面が回動体２４に当接して傷つくのを防止している。
前記底板部２１の下面には、滑り止めシート２２が貼り付けられている。
【００１９】
以上のような構成において、回動体２４のコネクタ２３が略垂直に突出している状態で、携帯型電子機器１６のコネクタをコネクタ２３に挿入接続する。このとき、携帯型電子機器１６が厚さの薄い携帯型電子機器１６ａである場合には、携帯型電子機器１６ａの背面と背当部２０との間に隙間が生じて不安定な状態にあるので、携帯型電子機器１６ａをコネクタ２３に挿入接続したまま背当部２０側に倒して当接させる。すると、図１に実線で示すように、回動体２４がコネクタ２３とともに右方向に回動する。回動体２４の図中左側のストッパ２９ａが台座部１９の下面に接触している状態では、コネクタ２３が図１のＰ１の位置のように背当部２０に最も近づくので、携帯型電子機器１６の最も薄い場合を想定してストッパ２９ａの位置が決められる。
【００２０】
携帯型電子機器１６の厚さが厚かったり、携帯型電子機器１６にカバー３５が被せてあったりした携帯型電子機器１６ｂである場合には、回動体２４のコネクタ２３ができるだけ手前に突出している状態、例えば、図１のＰ３の位置で、携帯型電子機器１６をコネクタ２３に挿入接続する。このとき、携帯型電子機器１６が厚さの厚い携帯型電子機器１６ｂである場合であっても、携帯型電子機器１６ｂの背面と背当部２０との間に隙間が生じて不安定な状態にあるので、携帯型電子機器１６ｂをコネクタ２３に挿入したまま図１のＰ２の位置まで回動して背当部２０側に倒して密着させる。すると、図１に鎖線で示すように、回動体２４がコネクタ２３とともに右方向に回動する。回動体２４の図中右側のストッパ２９ｂが台座部１９の下面に接触している状態では、図１のＰ３の位置のようにコネクタ２３が背当部２０から最も遠くなるので、携帯型電子機器１６の最も厚い場合を想定してストッパ２９ｂの位置が決められる。
【００２１】
以上のようにして携帯型電子機器１６を携帯型電子機器用ドックスタンドにセットして携帯型電子機器１６を再生したり、ＵＳＢコネクタ２５から充電したりする。
なお、携帯型電子機器１６のコネクタを台座部１９のコネクタ２３に挿入すると、携帯型電子機器１６の下端部が受け部材３３に接触し、回動体２４に接触することがないから傷などから保護される。
【００２２】
前記実施例では、回動体２４は、上半分が半円形部２８をなした形状としたが、これに限られるものではなく、回動する角度を大きくする場合には、円筒形又はそれに近い角度とすることができる。また、回動する角度が小さい場合には、半円形よりも小さな角度とすることができる。
【符号の説明】
【００２３】
１０…クレードル、１１…スタンド、１２…台座部、１３…コネクタ、１４…背当部、１５…背当ねじ、１６，１６ａ，１６ｂ…携帯型電子機器、１７…コネクタ、１８…ハウジング、１９…台座部、２０…背当部、２１…底板部、２２…滑り止めシート、２３…コネクタ、２４…回動体、２５…ＵＳＢコネクタ、２６…錘、２７…突出窓、２８…半円形部、２９ａ、２９ｂ…ストッパ、３０…回転軸、３１…突起部、３２…軸受部、３３…受け部材、３４…リード線、３５…カバー。
【図１】
0003167101.tif 000003
【図２】
0003167101.tif 000004
【図３】
0003167101.tif 000005
【図４】
0003167101.tif 000006
【図５】
0003167101.tif 000007